(57)【特許請求の範囲】
【請求項１】
一時インキ貯溜部と、第１のインキタンク室、並びに、これに貯留されているインキを流入させるためのインキ流入口を設けた第２のインキタンク室を軸方向と直交する前部壁、そのインキ流入口、及び、軸方向と平行の側壁によって区画形成してなり、これらインキタンク室を前後及び並列に連設し、その一時インキ貯留部と、これらインキタンク室を前後に連設しているとともに、
その第１のインキタンク室内に、前側インキ溜めと、後側インキ溜めと、に二分する区画壁を設けるとともに、その区画壁に、その前側インキ溜めと、その後側インキ溜めとの間でインキを流通させるためのインキ流通口を形成し、
その第２のインキタンク室と、その一時インキ貯溜部と、その第１のインキタンク室内の後側インキ溜めと、を貫通させてインキ誘導芯を配設していること、
上記インキタンク部内のインキがそのインキ誘導芯に接触しない筆記姿勢にしたとき、そのインキタンク部内のインキに接触する位置に、そのインキを吸収しかつ吸収したインキを、そのインキ誘導芯に補給するためのインキ補給体を配設したことを特徴とする直液式筆記具。
【請求項２】
上記第１のインキタンク室の後端面を閉じる後部壁をインキ補給体で形成しているとともに、これに上記インキ誘導芯の後端を密接させている請求項１記載の直液式筆記具。
【請求項３】
上記第１のインキタンク室の前端面を区画する上記前部壁に上記インキ誘導芯が嵌通されており、その前部壁をインキ補給体で形成している請求項１又は２記載の直液式筆記具。
【請求項４】
インキ補給体は、枚葉体、繊維束体又は多孔体で形成されていることを特徴とする請求項１、２又は３記載の直液式筆記具。
【請求項５】
一時インキ貯溜部は、インキ誘導芯と別体にして形成されている請求項１，２、３又は４記載の直液式筆記具。
【請求項６】
一時インキ貯溜部は、繊維束体等を含む多孔体、枚葉体又は断面櫛歯形の成形体から形成されている請求項１、２、３、４又は５記載の直液式筆記具。
【発明の詳細な説明】
【０００１】
【発明の属する技術分野】
本発明は、例えばマーキングペン等の直液式筆記具に関する。
【０００２】
【従来の技術】
従来、この種の直液式筆記具として、例えば特表平６−５１０４９１号公報に記載のものがある。
その直液式筆記具は、インキｉを収容する単一のインキタンク１を形成した軸筒２と、そのインキタンク１の前側壁１ａに形成した開口１ｂに、後部３ａを突入させたインキ誘導芯３と、このインキ誘導芯３に嵌装された一時インキ貯留部４とを有するものであり、特に、上記一時インキ貯留部４の毛管能を、インキタンク１の開口１ａ近傍のインキ誘導芯３の毛管能よりも小さくすることにより、上記インキタンク１の容積が公知のものよりも大きい場合にも確実に機能するとともに、そのインキ誘導芯３の前部壁３ｂからのインキｉの漏れ等を防止しようとしたものである。
【０００３】
【発明が解決しようとする課題】
しかしながら、上記従来の直液式筆記具は、インキ誘導芯３にインキｉが接触しないも例えば例えばほぼ水平な筆記姿勢にした場合、インキタンク１内のインキｉの液面がｉａで示すように低下し、あるいはインキタンク１内のインクｉの貯溜量が少ないときには、上記インキ誘導芯３にインキｉが接触しない。
このような場合、筆記の間、インキ誘導芯３へのインキｉの補給がされないため、インキｉの掠れ等が生じるという欠点がある。
【０００４】
また、インキタンク１の容量が大きくなるのに従って、必然的にインキタンク１内の空間体積も増加することになるが、この場合、温度や圧力の変化により、上記空間体積の体積膨張分もさらに増大する。
【０００５】
すなわち、空間体積の体積膨張分の増大に従って、一時インキ貯留部４の貯留容積を増加させなければ、インキ誘導芯３の先端部３ｂからのインキの漏れ等が生じるが、一時インキ貯留部４を断面櫛歯形の構造にした場合には、インキの貯留容量の増加に従って成形工程が難しくなり、また、多孔体又は枚葉体を採用した構造にしたときには、コスト高になるとともにインキの貯留容量を増加させるうえで限界があるという欠点がある。
【０００６】
そこで本発明は、インキタンク容積の増加に伴って、一時インキ貯留部の貯留容量を大きくする必要がなく、また、ペン芯を上向きにした起立姿勢のときのインキの吹き出しを抑制できるとともに、筆記姿勢に拘わらずに連続した筆記を良好に行える直液式筆記具の提供を目的としている。
【０００７】
【課題を解決するための手段】
前記目的を達成するため、本発明は次の構成を有する。
本発明は、一時インキ貯溜部と、第１のインキタンク室、並びに、これに貯留されているインキを流入させるためのインキ流入口を設けた第２のインキタンク室を軸方向と直交する前部壁、そのインキ流入口、及び、軸方向と平行の側壁によって区画形成してなり、これらインキタンク室を前後及び並列に連設し、その一時インキ貯留部と、これらインキタンク室を前後に連設しているとともに、
その第１のインキタンク室内に、前側インキ溜めと、後側インキ溜めと、に二分する区画壁を設けるとともに、その区画壁に、その前側インキ溜めと、その後側インキ溜めとの間でインキを流通させるためのインキ流通口を形成し、
その第２のインキタンク室と、その一時インキ貯溜部と、その第１のインキタンク室内の後側インキ溜めと、を貫通させてインキ誘導芯を配設していること、
上記インキタンク部内のインキがそのインキ誘導芯に接触しない筆記姿勢にしたとき、そのインキタンク部内のインキに接触する位置に、そのインキを吸収しかつ吸収したインキを、そのインキ誘導芯に補給するためのインキ補給体を配設したことを特徴とする直液式筆記具である。
【０００８】
上記の構成では、第１のインキタンク室内を、前側インキ溜めと後側インキ溜めとに二分する区画壁を設けるとともに、その区画壁に、その前側インキ溜めと，その後側インキ溜めとの間でインキを流通させるためのインキ流通口を形成する。これにより、前側インキ溜めに滞留していたインキを、区画壁のインキ流通口を通じて後側インキ溜めに流入させられるとともに、後側インキ溜めに滞留するインキを、上記インキ流入口から、第２のインキタンク室内に流入させやすくなる。
また、上記の構成では、第２のインキタンク室内のインキだけがインキ誘導芯に供給されるようになり、一時インキ貯留部の貯留容積を、第２のインキタンク室の容積に従って設定できる。すなわち、インキタンク部全体の容積を大きくしても、従ってまた、比較的大量のインキをインキタンク部内に貯留したときにも、一時インキ貯留部の貯留容積を、インキタンク部の容量に従って大きく設定する必要がない。
また、インキ誘導芯にインキが接触しない筆記姿勢にしたとき、インキ補給体に吸収されているインキを、インキ誘導芯に補給できるので、直液式筆記具自体を、どのような筆記姿勢にしたときにも連続した筆記を良好に行なえる。
【０００９】
本発明において、上記第１のインキタンク室の後端面を閉じる後部壁をインキ補給体で形成しているとともに、これに上記インキ誘導芯の後端を密接させている、又は、上記第１のインキタンク室の前端面を区画する上記前部壁に上記インキ誘導芯が嵌通されており、その前部壁をインキ補給体で形成している構成にすることにより、インクタンク室内に、別体にしたインク補給体を設ける必要がなく、そのインクタンク室の容積を有効に活用できる。
【００１１】
インキ補給体としては、枚葉体、繊維束体又は多孔体等で形成することができる。
【００１２】
一時インキ貯溜部を、インキ誘導芯と別体にして、また、繊維束体等を含む多孔体、枚葉体又は断面櫛歯形の成形体から形成することができる。
【００１３】
【発明の実施の形態】
本発明の実施の形態について、図面を参照して説明する。図１は、本発明の第１の実施形態に係る直液式筆記具の概略構造を示す断面図、図２（Ａ）は、図１に示すＩ‐Ｉ線に沿う断面図、同じく（Ｂ）はＩＩ‐ＩＩ線に沿う断面図、（Ｃ）はＩＩＩ‐ＩＩＩ線に沿う断面図である。
【００１４】
本発明の第１の実施形態に係る直液式筆記具Ａは、一時インキ貯留部５と、第１，第２のインキタンク室６，７を区画形成してなるインキタンク部８とを前後に連設しているとともに、その第２のインキタンク室７と一時インキ貯留部５とを貫通させてインキ誘導芯９を配設してなる筆記具本体１０と、図示しないキャップとからなるものである。
【００１５】
第１のインキタンク室６は、例えば内径約２０ｍｍ、全長約７０ｍｍの円筒形に形成されており、これの先端面は前部壁１１によって区画され、また、後端面は後部壁１２によって閉じられている。
【００１６】
後部壁１２は、本実施形態においては、上記インキタンク部８内のインキを吸収しかつ吸収したインキをインキ誘導芯９に補給するものであればよく、例えば枚葉体、繊維束体、又は多孔体である樹脂，金属，セラミックス等の微粒子焼結体、ゴム若しくはスポンジ等を円板状に成形したインキ補給体により形成されているものである。
【００１７】
第１のインキタンク室６内には、これの容積と、詳細を後述する第２のインキタンク室７の容積とを合わせた全容積をほぼ均分する位置（ほぼ１／２ずつの容積となる位置）に区画壁１３が配設されており、その区画壁１３を挟む両側に、前側インキ溜め６ａと後側インキ溜め６ｂとが区画形成されている。
【００１８】
区画壁１３は、図２（Ｂ）に示すように、軸線Оを挟む対向位置に、平面台形のインキ流通口である切欠き１３ａ，１３ａ（内径３ｍｍの２つの円形孔と同じ断面積）を形成した円板形のものであり、その切欠き１３ａ，１３ａを介して、前側インキ溜め６ａと後側インキ溜め６ｂとの間で、インキを互いに流通させられるようにしている。
【００１９】
第２のインキタンク室７は、例えば内径約６ｍｍで、上記前部壁１１から区画壁１３に到る長さの円筒形に形成された側壁１４により区画形成されており、上記第１のインキタンク室６と軸線Оを中心とする同心円配置にして形成されている。
【００２０】
第２のインキタンク室７の後端面はインキ流入口７ａが開設されており、また、前部壁１１には、詳細を後述するインキ誘導芯９を貫通させるための芯貫通孔１１ａが軸線Оに一致して形成されているとともに、その軸線Оの近傍には、空気置換用の内径約０．１ｍｍの通気孔（図示しない）が形成されている。
【００２１】
インキ誘導芯９は、例えばポリエステルからなる繊維束を、直径約２ｍｍほどの円柱形に収束形成したものであり、これの後端９ａを、上記第１のインキタンク室６の後部壁１２に密着させるとともに、先端９ｂを、詳細を後述する一時インキ貯留部５を貫通して前側に突出させられる長さにして形成されている。
【００２２】
インキ誘導芯９の前端にはペン芯１５が配設されており、それは、例えばポリエステルからなる繊維束を、直径約５ｍｍほどの円柱形に収束形成したものである。
【００２３】
一時インキ貯留部５は、略円板形の複数の枚葉体５ａ…を約０．２ｍｍの間隙を保持して積重してなる所謂枚葉型のものであり、具体的には、第２のインキタンク室７の容積と同じ、約１．１ｃｃの貯留容積にしている。
【００２４】
上述した構成からなる第１の実施形態に係る直液式筆記具Ａの作用について説明する。なお、前記第１，第２のインキタンク６，７室内には、これの全容量の１／４程度のエタノール系インキが充填されているものとする。
筆記具本体１０を、これのペン芯１５を上方に向けた筆記姿勢にすると、前側インキ溜め６ａに滞留していたインキは、区画壁１３のインキ流通口である切欠き１３ａ，１３ａを通じて後側インキ溜め６ｂに流出する。
【００２５】
次に、筆記具本体１０を、これのペン芯１５を下向きにした筆記姿勢にすると、後側インキ溜め６ｂに滞留していたインキは、区画壁１３の切欠き１３ａ，１３ａを介して、前側インキ溜め６ａに流出するのと同時に、第２のインキタンク室７のインキ流入口７ａから、第２のインキタンク室７内に流入する。
【００２６】
すなわち、本実施形態においては、ペン芯１５を下向きにした筆記姿勢において、一時インキ貯留部５の貯留容積Ｖｃは、第２のインキタンク室７の容積Ｖ２に従って設定すればよく、より詳しくは、第２のインキタンク室７の容積Ｖ２から、前部壁１１から第２のインキ室７のインキ流入口７ａまでのインキ誘導芯９の体積Ｖｐ′を除したインキ量を勘案すればよいものである。
【００２７】
すなわち、第２のインキタンク室７に貯留されているインキは、それのインキ流入口７ａ以上に貯留されることがないので、温度や圧力が変化するときも、第２のインキタンク室７から一時インキ貯留部５に押し出されるインキの量は、Ｖ２−Ｖｐ′以上にはならないからである。
【００２８】
また、第２のインキタンク室７のインキ流入口７ａよりもインキの液面が下にあるときには、押し出されるインキの量は、第２のインキタンク室７内に貯留され得るインキの量以上にはならないので、この場合にも、一時インキ貯留部５のインキ貯留量を超えることがない。
【００２９】
ところで、インキタンク部８内のインキ貯溜量が少ない場合、筆記具本体１０を、これのペン芯１５を横向きにしたほぼ水平な筆記姿勢にすると、図３に示すように、インキタンク部８内のインキｉの液面ｉａは、インキ誘導芯９の下側に位置し、インキタンク部８内のインキをインキ誘導芯９に直接的には補給できない。
しかし、本実施形態においては、上記インキタンク部８内のインキｉがインキ誘導芯９に接触しない筆記姿勢にしたとき、そのインキタンク部８内のインキに接触する位置にある後部壁１２をインキ補給体により形成しているので、たとえペン芯１５を横向きにしたほぼ水平な筆記姿勢にしているときにも、インキタンク部８内のインキｉが後部壁１２に常時接触する。
【００３０】
これにより、インキｉの液面ｉａが、インキ誘導芯９の下側に位置しているとき、換言すると、インキ誘導芯９がインキタンク部８内に貯溜されているインキに浸漬された状態になっていないときにも、インキ補給体で形成した後部壁１２に密接させたインキ誘導芯９の後端９ａから、その後部壁１２に吸収されているインキをインキ誘導芯９に補給することができるのである。
【００３１】
次に、上記構成からなる第１の実施形態に係る直液式筆記具Ａの実験結果を表１に示す。
表１に示す実施例１〜１１は、表２に示す条件下での実験結果を示すものであり、また、比較例１〜４は、第１の実施形態に係る直液式筆記具Ａと同様の構成であって、その後部壁をインク補給体により形成していないものの実験結果を示している。なお、同じ筆記具番号で示す実施例と比較例とは、インキ誘導芯と一時インキ貯溜部とを互いに同じ材質にし、かつ、インキ補給体による後部壁を形成した構成のものが実施例であり、その後部壁をインキ補給体で形成していない構成のものが比較例である。
【００３２】
【表１】
0004859282.tif 000002
【００３３】
【表２】
0004859282.tif 000003
【００３４】
＜実施例１＞
断面櫛歯形の成形体よりなる一時インキ貯溜部、及び繊維束体からなるインキ補給体により後部壁を形成したものであり、第１，第２のインキタンク室６，７内に、表面張力が２２ｍＮ／ｍ、密度０．８ｇ／ｃｃのエタノール系インキｉを、その第１，第２のインキタンク室６，７の全容量の１／４だけ充填し、ペン芯１５を水平にした筆記姿勢にして筆記した結果を示している。
【００３５】
＜実施例２＞
断面櫛歯形の成形体よりなる一時インキ貯溜部、及び樹脂微粒子の焼結体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００３６】
＜実施例３＞
断面櫛歯形の成形体よりなる一時インキ貯溜部、及び枚葉体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００３７】
＜実施例４＞
枚葉体よりなる一時インキ貯溜部、及び繊維束体からなるインキ補給体により後部壁を形成したものであり、第１，第２のインキタンク室６，７内に、上記のものと同じ物性の第１，第２のインキタンク室６，７の全容量の１／４だけ充填し、ペン芯１５を水平にした筆記姿勢にして筆記した結果を示している。
【００３８】
＜実施例５＞
枚葉体よりなる一時インキ貯溜部、及び樹脂微粒子の焼結体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００３９】
＜実施例６＞
枚葉体よりなる一時インキ貯溜部、及び枚葉体よりなるインキ補給体によって後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４０】
＜実施例７＞
繊維束体からなる一時インキ貯溜部、及び繊維束体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平な姿勢にして筆記した結果を示している。
【００４１】
＜実施例８＞
繊維束体の多孔体からなる一時インキ貯溜部、及び樹脂微粒子からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４２】
＜実施例９＞
繊維束体の多孔体からなる一時インキ貯溜部、及び枚葉体よりなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４３】
＜実施例１０＞
樹脂微粒子の焼結体の多孔体からなる一時インキ貯溜部、及び繊維束体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４４】
＜実施例１１＞
樹脂微粒子の焼結体の多孔体からなる一時インキ貯溜部、樹脂微粒子の焼結体からなるインキ補給体により後部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４５】
＜実施例１２＞
樹脂微粒子の焼結体の多孔体からなる一時インキ貯溜部、及び枚葉体からなるインキ補給体により底部壁を形成したものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４６】
＜比較例１＞
断面櫛歯形の成形体からなる一時インキ貯溜部、かつ、インキ補給体を設けていないものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４７】
＜比較例２＞
一時インキ貯溜部を枚葉体で形成し、かつ、インキ補給体を設けていない構成のものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果である。
【００４８】
＜比較例３＞
一時インキ貯溜部が繊維束体からなる多孔体で形成し、かつ、インキ補給体を設けていないものであり、第１，第２のインキタンク室６，７内に、上記のものと同じ物性のエタノール系インキを、その第１，第２のインキタンク室６，７の全容量の１／４だけ充填し、ペン芯１５を水平にした筆記姿勢にして筆記した結果を示している。
【００４９】
＜比較例４＞
一時インキ貯溜部が樹脂微粒子からなる多孔体であり、かつ、インキ補給体を設けていないものであり、第１，第２のインキタンク室６，７内に、上記のものと同じ物性のエタノール系インキを、その第１，第２のインキタンク室６，７の全容量の１／４だけ充填し、ペン芯１５を水平にした姿勢にして筆記した結果を示している。
【００５０】
次に、本発明の第２の実施形態に係る直液式筆記具Ｂについて、図４を参照して説明する。
この直液式筆記具Ｂは、上記第１の実施形態に係る直液式筆記具Ａとほぼ同等の構成のものであるが、直液式筆記具Ａにおいては、後部壁１２自体をインキ補給体によって形成していたのに対し、後部壁１２′をインキ補給体で形成することなく、その後部壁１２′とは別に、枚葉体又は断面櫛歯形に形成したインキ補給体１６を、その後部壁１２′近傍のインキ誘導芯９の後端部に嵌装した構成のものである。
なお、第１の実施形態に係る直液式筆記具Ａにおいて説明したものと同等のものについては同一の符号を付して、それらの説明を省略する。
【００５１】
本発明の第３の実施形態に係る直液式筆記具Ｃについて、図５を参照して説明する。
この直液式筆記具Ｃは、上記第１の実施形態に係る直液式筆記具Ａとほぼ同等の構成のものであるが、第２のインキタンク室７′を区画する側壁１７を、前部壁１１から後部壁１２近傍に延出した長さに形成するとともに、後側インキ溜め６ｂ′に面する部分であって区画壁１３の至近位置に、その後側インキ溜め６ｂ′に滞留されているインキを、第２のインクタンク室７内に流入させるための、インキ流入口である３つのインキ流入孔１７ａ…を形成したものである。なお、図５には、３つのインキ流入孔１７ａ…のうち、１つだけを示している。
【００５２】
上記インキ流入孔１７ａ…と、区画壁１３に形成したインキ流通口である切欠き１３ａ，１３ａとの関係は、そのインキ流入孔１７ａ…を介して、後側インク溜め６ｂ′から第２のインキタンク室６にインキが流入し終えるまでの間、その後側インキ溜め６ｂ′内にインキを滞留させておける関係にして形成している。具体的には、インキ流入孔１７ａ…の断面積を切欠き１３ａ，１３ａの断面積よりも大きく形成している。
なお、第１の実施形態に係る直液式筆記具Ａにおいて説明したものと同等のものについては同一の符号を付して、それらの説明を省略する。
【００５３】
図６に区画壁の他例を示す。
この他例に係る区画壁１８は、軸心Оに一致して、インキ誘導芯９の外径に一致する芯嵌挿孔１８ａを形成するとともに、その軸Оを中心として、平面略扇形の４つのインキ流通孔１８ｂ…を９０°間隔で形成した円板形のものであり、これを、例えば枚葉体、繊維束体、又は多孔体である樹脂，金属，セラミックス等の微粒子焼結体を円板状に成形したインキ補給体により形成したものである。
【００５４】
上記においては、第１のインキタンク室の後端面を閉じる後部壁や区画壁等をインキ補給体で形成した例について説明したが、これらに限らず、例えば第１のインキタンク室の前端面を閉じる前部壁をインキ補給体で形成した構成にしてもよい。すなわち、本発明は、インキタンク部内のインキがインキ誘導芯に接触しない筆記姿勢にしたとき、そのインキタンク部内のインキに接触する位置に、そのインキを吸収しかつ吸収したインキをインキ誘導芯に補給するためのインキ補給体を配設した構成になっていればよいものである。
【００５５】
上記においては、円筒形の第１のインキタンク室と、同じく円筒形の第２のインキタンク室とを同心円配置にしている例について説明したが、第１のインキタンク室に対して、第２のインキタンク室を偏心させた状態で配設してもよく、また、側壁の平面形状も円形に限らず、楕円形，多角形等公知の形に形成することができる。
【００５６】
上記においては、インキ流入口を、第１のインキタンク室の容積と、第２のインキタンク室の容積とを合わせた全容積を均分する位置に配設した例について説明したが、第１のインキタンク室の容積と、第２のインキタンク室の容積とを合わせた全容積のほぼ２０％〜９０％の体積を満たすインキの液面にほぼ一致する位置に、インキ流入口を配設してもよい。
【００５７】
上記においては、一時インキ貯溜部を、略円板形の複数の枚葉体を所要の間隙を保持して積重してなる所謂枚葉型のものをインキ誘導芯と別体にして形成した例について説明したが、例えば、繊維束体、樹脂，金属，セラミックス等の微粒子焼結体の多孔体、枚葉体、又は断面櫛歯形の成形体等により形成してもよい。
また、上記においては、一時インキ貯溜部をインキ誘導芯と別体にして形成した例について説明したが、インキ誘導芯と一時インキ貯溜部とを一体に形成してもよい。
【００５８】
上記においては、第１のインキタンク室内を、前側インキ溜めと後側インキ溜めとに二分する区画壁を設けるとともに、その区画壁に、前側，後側インキ溜め間でインキを流通させるためのインキ流通口を形成した例について説明したが、区画壁は必ずしも設ける必要はない。
【００５９】
【発明の効果】
請求項１〜６記載の発明によれば、次の効果を得ることができる。
一時インキ貯留部の貯留容積は、第２のインキタンク室の容積に従って設定することができるようになり、インキタンク部全体の容積を大きくしても、従ってまた、比較的大量のインキをインキタンク部内に貯留したときにも、一時インキ貯留部の貯留容積を、インキタンク部全体のインキ量に従って大きく設定する必要がない。
また、第１のインキタンク室内に、前側インキ溜めと後側インキ溜めとに二分する区画壁を設けるとともに、その区画壁に、前側インキ溜と後側インキ溜めとの間でインキを流通させるためのインキ流通口を形成しているので、前側インキ溜めに滞留していたインキを、区画壁のインキ流通口を通じて後側インキ溜めに流入させられるとともに、後側インキ溜めに滞留するインキを、上記インキ流入口から、第２のインキタンク室内に流入させやすくなる。
【００６０】
インキ誘導芯にインキが接触しない筆記姿勢にしたとき、インキ補給体に吸収されているインキを、インキ誘導芯に補給できるので、直液式筆記具自体を、どのような筆記姿勢にしたときにも連続した筆記を良好に行なうことができる。
【００６１】
第２のインキタンク室にインキ流入口を形成していることにより、前部壁からインキ流入口までの、その第２のインキタンク室の容積から、その前部壁からインキ流入口までのインキ誘導芯の体積を除したインキ量を勘案して、一時インキ貯留部のインキ貯留容積を設定することができる。
このため、一時インキ貯留部のインキ貯留容積をさらに小さく設定できるとともに、上記インキ流入口を通じて、後側インキ溜め内に滞留しているインキを、第２のインキタンク室内に供給することができ、インキ誘導芯へのインキの供給を良好に行うことができるとともに、インキ誘導芯の前部を上向きの起立姿勢にしたときのインキの吹き出しを抑制できる。
【００６２】
請求項１〜６記載の発明で得られる上記共通の効果に加え、各請求項記載の発明によれば次の効果を得ることができる。
請求項２記載の発明によれば、第１のインキタンク室の後端面を閉じる後部壁をインキ補給体で形成しているので、インキタンク部内に、インキ補給体を設ける必要がなく、そのインキタンク部の容積を有効に活用できる。
【００６３】
請求項３記載の発明によれば、第１のインキタンク室の前端面を区画する上記前部壁をインキ補給体で形成しているので、請求項２記載の発明と同様に、インキタンク部内に、インキ補給体を設ける必要がなく、そのインキタンク部の容積を有効に活用できる。
【図面の簡単な説明】
【図１】本発明の第１の実施形態に係る直液式筆記具の概略構造を示す断面図である。
【図２】（Ａ）は、図１に示すＩ‐Ｉ線に沿う断面図、同じく（Ｂ）はＩＩ‐ＩＩ線に沿う断面図、（Ｃ）はＩＩＩ‐ＩＩＩ線に沿う断面図である。
【図３】同上の直液式筆記具を水平な筆記姿勢にした状態の断面図である。
【図４】本発明の第２の実施形態に係る直液式筆記具の概略構造を示す断面図である。
【図５】本発明の第３の実施形態に係る直液式筆記具の概略構造を示す断面図である。
【図６】区画壁の他例を示す平面図である。
【図７】従来の直液式筆記具の概略構造を示す断面図である。
【符号の説明】
５              一時インキ貯溜部
６              第１のインキタンク室
６ａ            前側インキ溜め
６ｂ            後側インキ溜め
７              第２のインキタンク室
７ａ            インキ流入口
８              インキタンク部
９              インキ誘導芯
１１            前部壁
１２            インキ補給体である後部壁
１３            区画壁
１３ａ          インキ流通口
１５            ペン芯
ｉ              インキ
【図１】
0004859282.tif 000004
【図２】
0004859282.tif 000005
【図３】
0004859282.tif 000006
【図４】
0004859282.tif 000007
【図５】
0004859282.tif 000008
【図６】
0004859282.tif 000009
【図７】
0004859282.tif 000010